(57)【特許請求の範囲】
【請求項１】
芯線が露出した同軸ケーブルが差し込まれる円筒状の接続部と、
外周にネジ溝が、内周に工具挿入穴が設けられたクランプねじ、および端部に前記同軸ケーブルの外周に当接する歯が形成され前記クランプねじに回動自在に支持されたクランプピースを有するケーブルクランプと、
前記接続部の側部に直角方向に設けられ、内周に前記ケーブルクランプのネジ溝と係合するネジ溝を有する筒状に形成されるとともに、前記接続部に最も近い部分に前記クランプピースを所定の向きに保ったまま案内するガイド孔を有し、前記ケーブルクランプが装着されるクランプ部と、
をそなえた同軸ケーブルのクランプ装置。
【請求項２】
請求項1記載の同軸ケーブルのクランプ装置において、
前記ガイド孔の周囲に、前記ケーブルクランプの過度の締め込みを規制するストッパが設けられた同軸ケーブルのクランプ装置。
【請求項３】
請求項1記載の同軸ケーブルのクランプ装置において、
前記ケーブルクランプは、前記歯形部が前記同軸ケーブルの外周に当接するアーク状部分を有する同軸ケーブルのクランプ装置。
【請求項４】
請求項1記載の同軸ケーブルのクランプ装置において、
前記接続部が、前記同軸ケーブルの芯線を露出させずに密閉する構造を有する同軸ケーブルのクランプ装置。
【発明の詳細な説明】
【技術分野】
【０００１】
本発明は、同軸ケーブルの末端を接続処理するためのクランプ装置に係わり、とくに信号漏洩を少なくするものに関する。
【背景技術】
【０００２】
ＴＶ共聴設備等の配線に用いられる同軸ケーブルは、信号漏洩が抑制されており、高い機密性を持った信号ネットワークを構成するために利用されている。
【０００３】
そして、ネットワークを構成するには同軸ケーブルを接続対象である電子機器もしくは他の同軸ケーブルと接続する必要があり、そのためにコネクタが用いられる。コネクタには、同軸ケーブルを確実に保持するクランプ装置が設けられ、同軸ケーブルを機械的、電気的に接続対象に接続する。
【先行技術文献】
【特許文献】
【０００４】
【特許文献１】特開2007-48466号公報
【発明の開示】
【発明が解決しようとする課題】
【０００５】
従来、ＴＶ受信のために家庭で使用される信号分配器等に用いられている同軸ケーブルのクランプ装置は、同軸ケーブルを機械的に保持し電気的に接続する機能は有するが、中心導体の接続部分が外部に露出する等、信号漏洩には厳格な配慮はしていない面がある。
【０００６】
しかしながら、ＴＶ信号のディジタル化が進んでくると従来問題とされなかった信号漏洩をより厳格に抑制する必要が生じている。すなわち、単に機械的、電気的に接続を行うだけでは不十分であり、同軸ケーブルを伝わる信号が外部に漏洩したり、外部から同軸ケーブル内に侵入したりしないように確実にアイソレーションを保つ必要がある。
【０００７】
本発明は上述の点を考慮してなされたもので、同軸コネクタに勝るような信号漏洩特性を有する同軸ケーブルのクランプ装置を提供することを目的とする。
【課題を解決するための手段】
【０００８】
上記目的達成のため、本発明では、
芯線が露出した同軸ケーブルが差し込まれる円筒状の接続部と、
外周にネジ溝が、内周に工具挿入穴が設けられたクランプねじ、および端部に前記同軸ケーブルの外周に当接する歯が形成され前記クランプねじに回動自在に支持されたクランプピースを有するケーブルクランプと、
前記接続部の側部に直角方向に設けられ、内周に前記ケーブルクランプのネジ溝と係合するネジ溝を有する筒状に形成されるとともに、前記接続部に最も近い部分に前記クランプピースを所定の向きに保ったまま案内するガイド孔を有し、前記ケーブルクランプが装着されるクランプ部と、
をそなえた同軸ケーブルのクランプ装置、
を提供する。
【発明の効果】
【０００９】
本発明は上述のように、ケーブルクランプをクランプ部に装着することにより接続部から挿入された同軸ケーブルを把持するため、同軸ケーブルの芯線が外部に露出することがなく、信号漏洩の極めて少ない同軸ケーブルのクランプ装置を提供することができる。
【図面の簡単な説明】
【００１０】
【図１】本発明の一実施例の外観を示す透視図。
【図２】図１に示した実施例の一部を切開して示した部分断面図。
【図３】図１に示した実施例に用いるケーブルクランプの構造を示す部分断面図。
【図４】図４(a)ないし(d)は、図３に示したケーブルクランプの正断面図、両端面図および側面図。
【図５】上記実施例を用いた信号分配器の内部構造を示す部分断面図。
【図６】上記実施例のケーブル把持力を高めた他の実施例の構造を示す部分断面図。
【図７】上記実施例のケーブル把持力を高めた更に他の実施例の構造を示す部分断面図。
【図８】ケーブルクランプの締め込みを、工具を用いずに行うように構成した他の実施例の外観を示す透視図。
【図９】本発明を同軸ケーブル同士の接続用中継コネクタに使用した例を示す部分断面図。
【図１０】本発明を同軸コネクタに組み込んだ例を示す説明図。
【発明を実施するための最良の形態】
【００１１】
以下、添付図面を参照して本発明の実施の形態を説明する。
【実施例１】
【００１２】
図１は、本発明の一実施例の外観形状を示したものである。この実施例は、本発明を、入力信号を2分配する信号分配器の筐体１００に適用した例を示している。
【００１３】
この信号分配器では、図示右側の入力端子に接続された同軸ケーブルから信号が与えられ、左側の２つの出力端子に接続された同軸ケーブルに供給するもので、同軸ケーブルとの接続部１１０が３つある。これら接続部１１０では、図示左右方向に円筒状に突出した接続部１１０の上面にクランプ部１２０が設けられている。
【００１４】
このクランプ部１２０では、例えば６角レンチ（図示せず）を差し込んで締め込み作業を行うことにより、接続部１１０に挿入された同軸ケーブル２００の端部を押圧して把持する。これにより、筐体１００に同軸ケーブル２００が強固に固定される。なお、この図１では、２つの出力端子のうち手前側の出力端子には、細い同軸ケーブル２００Ａを挿入しており、同軸ケーブル２００の外周と接続部１１０の内周との間に隙間が生じないように金属製または樹脂製のカラー２１０を介挿している。
【００１５】
図2は、接続部１１０およびこの接続部１１０に組み込まれたクランプ部１２０の内部構造を断面として説明している。接続部１１０は、同軸ケーブル２００の芯出しした先端を収容するように円筒状の空間を有し、その中間に図示上方向に連なるクランプ部１２０が設けられている。
【００１６】
クランプ部１２０は、接続部１１０に挿入された同軸ケーブル２００の側部を押圧することにより把持するもので、円筒状のクランプ筒部１２１およびこのクランプ筒部１２１に連通したガイド孔１２２、ならびにクランプ筒部１２１およびガイド孔１２２に挿入されるケーブルクランプ１２３により構成されている。
【００１７】
ケーブルクランプ１２３は、クランプねじ１２３ａとこのクランプねじ１２３ａにより回転自在に支持されているクランプピース１２３ｂとにより構成されており、クランプ筒部１２１およびガイド孔１２２に挿入されていき、クランプピース１２３ｂの先端で同軸ケーブル２００を押圧固定する。
【００１８】
クランプ筒部１２１は内周面にネジ溝が切られており、例えば図示のように６角レンチを用いてクランプねじ１２３ａをねじ込むために使用される。このねじ込みの際、ガイド孔１２２は断面形状が長孔状であり、クランプピース１２３ｂが回転しないように図示下向きに案内し、締め込んだところでガイド孔１２２の図示上端面の部分がクランプピース１２３ｂに対するストッパとして機能する。これにより、同軸ケーブル２００に対して過度の押圧力が加わることを防止している。
【００１９】
なお、ここでクランプ筒部１２１のネジ溝およびクランプねじ１２３ａの外周に設けられたネジは、他のロック機構、例えば半回転ロック機構を代表する部材名とする。
【００２０】
図３は、クランプねじ１２３ａおよびクランプピース１２３ｂの詳細構造を示したものである。クランプねじ１２３ａは、ほぼ円筒形状をしており、外周にネジ溝が切られており、内周面は例えば６角レンチ用の穴が形成されている。そして、一端が６角レンチの差し入れ口であり、他端がクランプピース１２３ｂのかしめ部１２３ｂ１をかしめ固定するようにすぼめられた形状をしている。
【００２１】
一方、クランプピース１２３ｂは、一端でクランプねじの他端に回転自在にかしめ固定され、他端で同軸ケーブル２００（図１、図２）に押圧力を与える。クランプピース１２３ｂの固定方法は、他にねじ止め、リベット止め等でもよい。
【００２２】
この押圧力を与えるため、クランプピース１２３ｂの他端は、同軸ケーブルの外周にある程度食い込んで当接するように、２枚の歯１２３ｂ２として形成されている。同軸ケーブルは断面円形であるから歯形形状は同軸ケーブルの横断面外周に整合するようなほぼ円弧状をなすように形成されており、歯先は円弧方向に稜線が延びる山形に形成されている。
【００２３】
また、クランプピース１２３ｂは、2枚の歯１２３ｂ２の部分が細長い横断面であり、この部分がクランプ部１２０のガイド孔１２２により案内されるからクランプピース１２３ｂは回転せずにガイド孔１２２内を出入りする。
【００２４】
図４(a)ないし(d)は、ケーブルクランプ１２３、つまりクランプねじ１２３ａおよびクランプピース１２３ｂの構造を、正断面図、両端面図および側面図として示したものである。
【００２５】
図４(a)はクランプねじ１２３ａとクランプピース１２３ｂとのかしめ構造を、図４(b)は６角レンチの挿入部形状および回転自在なかしめ構造の部分を、図４(c)はクランプピース１２３ｂの回り止めのための２枚の歯形形状を、そして図４(d)はクランプピース１２３ｂの歯１２３ｂ２の長手方向両側の先端が同軸ケーブルに食い込み得る程度に尖っていて同軸ケーブルの編組に食い込ませてアース接続に利用するようにもできることを示している。
【００２６】
図５は、接続部１１０の内部構造を示す部分断面図である。接続部１１０は、同軸コネクタとして構成されており、同軸ケーブル２００が接続部１１０の内部で回らないように回り止め１２３ｃを設けて機械的に固定する。そして、同軸ケーブル２００の芯線２０１を中心導体として利用し、芯線ガイド１２４を介して芯線受けピン１２５に導く。芯線２０１が芯線受けピン１２５に当接していることを確認するために、信号分配器１００の筐体には覗き窓１３０が開けられている。また、同軸ケーブル２００の絶縁被覆上に折り返された編組２０２を外側導体とする上で、回り止め１２３ｃを編組に食い込ませるように同軸ケーブルを径方向に押圧するとよい。
【実施例２】
【００２７】
図６は、接続部１１０の同軸ケーブル把持力を強化する構造例を示したものである。これは、接続部１１０におけるクランプ部１２０の径方向反対側に凹部（または穴）１１１を設けて、クランプピース１２３ｂの歯１２３ｂ２が同軸ケーブル２００を凹部１１１に押し込んで変形させることにより把持力を強めたものである。
【実施例３】
【００２８】
図７は、接続部１１０の同軸ケーブル把持力を強化するもう一つの構造例を示したものである。これは、接続部１１０にクランプ部１２０を２つ設けるもので、接続部１１０の径方向の対応する両側にクランプ部１２０を設ける。これにより、同軸ケーブル２００の径方向両側からクランプピース１２３ｂの先端を押し付けて同軸ケーブル２００を把持する。
【実施例４】
【００２９】
図８は、同軸ケーブル２００のつなぎ込みを工具無しで行うための構造例を示したものである。上記実施例では6角レンチを代表例とする工具を用いてケーブルクランプ１２３の締め込み作業を行うこととしていたのに対し、この実施例４では、摘み１２６を設けて作業員が手で締め込み作業を行い得るようにしている。
【実施例５】
【００３０】
図９は、本発明を、同軸ケーブル２００同士を接続する中継コネクタに適用した構造例を示している。この中継コネクタ１００Ａは、２つの接続部１１０を軸方向に連結したものである。芯線用の受けピン１２５が２つの同軸ケーブルの芯線２０１同士を接続し、クランプピース１２３ｂの先端で同軸ケーブル２００を押圧固定する。
【実施例６】
【００３１】
図１０は、本発明を、Ｆ型同軸コネクタに適用した構造例を示している。この場合、クランプピース１２３ｂの先端で同軸ケーブル２００を押圧固定し、同軸ケーブル２００の芯線２０１をそのままコネクタの中心導体として利用する。すなわち、コネクタ１００Ｂに同軸ケーブル２００のつなぎ込み作業を完了すると同軸コネクタができ上がる。
【符号の説明】
【００３２】
１００  筐体、１００Ａ  中継コネクタ、１００Ｂ  コネクタ、
１１０  接続部、１２０  クランプ部、１２１  クランプ筒部、
１２２  ガイド孔、１２３  ケーブルクランプ、１２３ａ  クランプねじ、
１２３ｂ  クランプピース、１２３ｂ１  かしめ部、１２３ｂ２  歯、
１２３ｃ  回り止め、１２４  芯線ガイド、１２５  芯線受けピン、
１３０  覗き窓、２００，２００Ａ  同軸ケーブル、２０１  中心導体、
２０２  編組、２１０  カラー、３００  工具。
【図１】
0005399311.tif 000002
【図２】
0005399311.tif 000003
【図３】
0005399311.tif 000004
【図４】
0005399311.tif 000005
【図５】
0005399311.tif 000006
【図６】
0005399311.tif 000007
【図７】
0005399311.tif 000008
【図８】
0005399311.tif 000009
【図９】
0005399311.tif 000010
【図１０】
0005399311.tif 000011